(57)【特許請求の範囲】
【請求項１】
一方の端部が直角にカツトされ、他方の端部が斜めにカツトされ、直角にカツトされた側の下面片の端縁に内側に折り込んだ折込片が形成された断面形状が直方体状の紙筒と、前面板に達する内容物収納凹部が形成されると共に前記内容物収納凹部の前記前面板に隣接する部分が取出口とされ、前記内容物収納凹部が形成されている面と反対面に設けられた段部により前記前面板に達する凹部が形成され、前記前面板の外周端に突起が形成されたトレー状の成形品からなり、前記成形品を前記紙筒の内部に収納して、前記成形品の前記後面板側を押すことにより前記成形品を前記紙筒から所定の寸法スライドさせて前記取出口を開閉できるようにしたことを特徴とするカード状ケース。
【請求項２】
前記取出口を狭幅に形成したことを特徴とする請求項１記載のカード状ケース。
【請求項３】
前記内容物収納凹部および前記取出口が形成されていない領域の前記成形品の底面に凹部が形成されていることを特徴とする請求項１、２記載のカード状ケース。
【発明の詳細な説明】
【０００１】
【発明の属する技術分野】
本発明は、粒状物を包装するための偏平なカード状のケースに関する。
【０００２】
【従来の技術】
従来、容器をスライドさせることにより取出口を開閉させて内部に収納されている粒状製品を少量づつ取り出して使用する用途に適したケースとしては、例えば、角部に取出口を備えたプラスチツク成形品からなるトレー状の容器に、天板と側板を備え底面が開放した形状のプラスチツク成形品からなるカバー体を嵌合させた構成からなり、容器の底面のカバー体のない部分に露出しているトレー状の容器の底面を指で押して容器をスライドさせて取出口を開閉する構成のケースが知られている。しかしながら、上記のケースの場合、トレー状の容器およびカバー体共にプラスチツクの成形品であるために、カバー体の表面全面へ美麗な印刷を施すのが困難でありデザイン面で制約を受けるので意匠性が劣るという欠点があつた。また、容器およびカバー体共にプラスチツク製であるために廃棄物処理面で問題があるという欠点があつた。
【０００３】
【発明が解決しようとする課題】
本発明の目的は、プラスチツクの使用量を減らした紙との複合構成からなる組立てが簡単で且つ意匠性に優れたカード状ケースを提供することにある。
【０００４】
【課題を解決するための手段】
一方の端部が直角にカツトされ、他方の端部が斜めにカツトされ、直角にカツトされた側の下面片の端縁に内側に折り込んだ折込片が形成された断面形状が直方体状の紙筒と、前面板に達する内容物収納凹部が形成されると共に前記内容物収納凹部の前記前面板に隣接する部分が取出口とされ、前記内容物収納凹部が形成されている面と反対面に設けられた段部により前記前面板に達する凹部が形成され、前記前面板の外周端に突起が形成されたトレー状の成形品からなり、前記成形品を前記紙筒の内部に収納して、前記成形品の前記後面板側を押すことにより前記成形品を前記紙筒から所定の寸法スライドさせて前記取出口を開閉できるようにしたことを特徴とするカード状ケースである。上記構成とすることで、組み立てが簡単であり、紙筒の表面全面に印刷できるので意匠性に優れ、紙筒とプラスチツク成形品との複合体であるのでプラスチツクの使用量を削減できる、内容物の取り出しが容易なケースが得られる。
【０００５】
前記取出口を狭幅に形成したことを特徴とする上記のカード状ケースである。この場合、取出口を小さくすることができるので、粒径の小さい製品を少量づつ取出す場合に適する。
【０００６】
前記内容物収納凹部および前記取出口が形成されていない領域の前記成形品の底面に凹部が形成されていることを特徴とする上記のカード状ケースである。成形品をこの形状とすることで、成形品を製造するのに必要なプラスチツク量を減らすことができ、廃棄時に問題の少ないケースとすることができる。
【０００７】
【発明の実施の形態】
図１は本発明のカード状ケースの１実施例を示す（イ）は取出口を閉じた状態の斜視図（ロ）は取出口を開いた状態の斜視図であり、図２は本実施例のカード状ケースを構成する成形品を示す（イ）は表面の斜視図（ロ）は裏面の斜視図であり、図３は本実施例の紙筒ブランク板を示す平面図であり、図４は本実施例のカード状ケースを構成する紙筒を示す斜視図であり、図５は本実施例のカード状ケースの断面構成を示す（イ）は図１のＩ−Ｉ断面図（ロ）は図１のII−II断面図であつて、１は成形品、２は前面板、３は後面板、４は取出口、５は内容物収納凹部、６は段部、７は突起、8, 9は凹部、10は紙筒、11は上面片、12は下面片、13は折込片、14は糊代片、15, 16は側面片、ｄはスライド距離を表す。
【０００８】
本発明のカード状ケースの実施例は図１に示すとおりであり、一方の端部が斜めにカツトされ、他方の端部が直角にカツトされ、直角にカツトされた側の下面板の端縁に内側に折り込まれた折込片が形成された、断面形状が直方体状の紙筒10の内部に、中央部に内容物収納凹部が形成され、内容物収納凹部の前面板に隣接する部分を狭幅にして取出口４とされ、前面板側の底板に段部６が形成され、前面板の両側端に突起７が設けられたトレー状の成形品１を収納した、図１（イ）に示す構成である。図１（イ）に示す状態から、紙筒10の斜めにカツトされた端縁に露出している成形品１を指で押すことにより、図１（ロ）に示すように、紙筒10の直角にカツトされた端縁から成形品１の前面板２側が押し出されて、取出口４が開いた状態となつて内容物を取り出すことができるものである。本実施例では、取出口４を成形品１の幅よりも狭幅とされた形状であつて粒径の小さい製品に適しているが、取出口４を狭くせずに広幅としてもよく、この場合には粒径の比較的に大きい製品に適する。
【０００９】
本実施例のカード状ケースを構成する成形品１の形状は、図２に示すとおりであり、表面の形状は図２（イ）に示すように、両側端に突起７が設けられた前面板２と後面板３と両側面板とに囲まれたトレー状であつて、中央部には内容物収納凹部５が形成され、内容物収納凹部５に連続して前面板２に隣接する狭幅の凹部からなる取出口４が形成されており、裏面の形状は図２（ロ）に示すように、底板の前面板２より所定寸法内側の位置に前面板２に平行に段部６が形成されており、取出口４が形成されていない前面板２に隣接する領域に凹部８が形成されると共に、紙筒10に収納した状態で紙筒10の斜めにカツトされた端縁から露出する領域に、後面板３に隣接して凹部９が形成されている。凹部８及び凹部９は、成形品１を製造する際にプラスチツクの使用量を減らし成形品１の変形を防止するのが目的で設けられているものである。
【００１０】
紙筒10を形成するための紙筒ブランク板は、図３に示す通りであり、糊代片14と上面片11と側面片15と下面片12と側面片16とがそれぞれ折罫を介して連接され、下面片12の一端に内方に折り込まれる折込片13が延設されると共に、下面片12の他端は斜めにカツトされ下面片12に連接された側面片もカツトされており、上面片11についても折込片13のない方の端が斜めにカツトされ上面片11に連接された糊代片14もカツトされた形状であり、折込片13を除いて、側面片15を中心として対称形となるものである。紙筒10は、図３に示す紙筒ブランク板を折罫にて折り曲げて、糊代片14と側面片とを接着して筒状に形成し、折込片13を内方に折り曲げた、図４に示す形状である。
【００１１】
本実施例のカード状ケースを組み立てるには、先ず、成形品１の内容物収納凹部５に内容物を充填しておき、図３に示す紙筒ブランク板を前もつて筒貼りして形成された図４に示す紙筒10の折込片13を内方に折り曲げた状態で、紙筒10の折込片13のある端部の開口に、内容物を充填した成形品１の後面板３を先にして挿入し組み立てる方法、ないしは紙筒ブランク板を前もつて筒貼りして筒状に形成するのではなく、紙筒ブランク板を広げ折込片13を内方に折り曲げた状態で、その上に内容物を充填した成形品１を載置した後に、紙筒ブランク板を折り曲げて成形品１に巻き付け、紙筒ブランク板の糊代片14にて接着して筒状にする方法のいずれかにて行うことができる。
【００１２】
上記のようにして成形品１を紙筒10内に収納して組み立てられた状態のカード状ケースの断面構成、即ち、図１におけるＩ−Ｉ断面図は、図５（イ）に示すとおりであり、成形品１の前面板２の両側端の突起７が紙筒10の折込片13のある端縁と係合した状態で、成形品１の前面板２と紙筒10の端部が面一となつている。この状態で、成形品１の底板に形成された段部６と紙筒10に形成された折込片13の先端との間の距離が、紙筒10から成形品１をスライドさせて押し出し可能なスライド距離ｄとなる。
【００１３】
本カード状ケースの成形品１をスライドさせて取出口４を開いた使用状態の断面構成、即ち図１におけるII−II断面図は、図５（ロ）に示すとおりであり、
成形品１が紙筒10からスライド距離ｄだけ押し出されて、成形品１の底板の段部６と紙筒10に形成されている折込片13の先端とが係合した状態となり、それ以上押せないようストッパー機能を果たすものである。この状態で成形品１に形成された取出口４が紙筒10の外に露出するようになるので、内容物を取り出すことができる。
【００１４】
【発明の効果】
中央部に前面板に達する内容物収納凹部が形成されると共に前面板に隣接する内容物収納凹部の部分が取出口とされ、前面板側の底板に段部が設けられ、前面板の端縁に突起が形成された形状のトレー状の成形品を、一方の端部が直角にカツトされ、他方の端部が斜めにカツトされ、直角にカツトされた側の下面片の端縁に内側に折り込まれた折込片が形成された断面形状が直方体状の紙筒の内部に収納して、成形品の後面板側を押すことにより成形品を紙筒から所定の寸法移動させて取出口を開けるようにしたカード状ケースとすることにより、紙筒内に成形品を収納してセツトするだけできわめて簡単に組み立てることができ内容物の取り出しも容易なケースとなり、かつ、紙筒の表面全面に印刷を施すことができるので自由にデザインを施すことが可能な意匠性の優れたケースが得られる。また、成形品を内容物収納凹部が形成されていない領域の底面に凹部を形成した構成とすることにより、プラスチツク成形品と紙との複合体である上に成形品のプラスチツク使用量を削減しているので廃棄性の面でも優れたケースとすることができる。
【図面の簡単な説明】
【図１】本発明のカード状ケースの１実施例を示すもので、（イ）は取出口を閉じた状態の斜視図で、（ロ）は取出口を開いた状態の斜視図である。
【図２】本実施例のカード状ケースを構成する成形品を示すもので、（イ）は表面の斜視図で、（ロ）は裏面の斜視図である。
【図３】本実施例の紙筒ブランク板を示す平面図である。
【図４】本実施例のカード状ケースを構成する紙筒を示す斜視図である。
【図５】本実施例のカード状ケースの断面構成を示すもので、（イ）は図１のＩ−Ｉ断面図で、（ロ）は図１のII−II断面図である。
【符号の説明】
１  成形品                          10  紙筒
２  前面板                          11  上面片
３  後面板                          12  下面片
４  取出口                          13  折込片
５  内容物収納凹部                  14  糊代片
６  段部                            15, 16  側面片
７  突起                            ｄ  スライド距離
8, 9  凹部
【図１】
0003667429.tif 000002
【図２】
0003667429.tif 000003
【図３】
0003667429.tif 000004
【図４】
0003667429.tif 000005
【図５】
0003667429.tif 000006